(57)【特許請求の範囲】
【請求項１】
ステムが設けられた第１エアゾール容器及び第２エアゾール容器と、両容器を並置状態に拘束する連結具と、上側ノズル片及び下側ノズル片に二分割されたノズルと、上記連結具の外周囲に着脱自在に係合するカバーであって、ノズルを取り付ける凹所を上部に具備し、その凹所内の底板部にスリットによりステム押し板及びそのヒンジ部が形成され、このステム押し板をノズルの蓋体としてこれの上に上記下側ノズル片が担持されたカバーと、上記ノズルの上側ノズル片に連続する操作部を具備し、上記ヒンジ部を中心として揺動可能な操作レバーとを設け、操作レバーを押し下げることにより、ノズルと一体的にステム押し板が上記ヒンジ部を中心として揺動してステムを押圧し、両容器からステムを通して放出された内容物をノズル内に導き１つの吐出口から混合して同時に噴射可能とする一方、ノズルを上側ノズル片及び下側ノズル片に分離することにより内部を洗浄可能に構成したことを特徴とする二剤混合吐出容器。
【発明の詳細な説明】
【０００１】
【発明の属する技術分野】
本発明は、並置状態に拘束された一対のエアゾール容器とその頭頂部に取り付けられた吐出ヘッドとから構成され、エアゾール容器に収納された内容物を一つのノズルから同時に排出する二剤混合吐出容器に関するものである。
【０００２】
【従来の技術】
従来より、２種類の液剤を混合して使用されるものとして、染毛剤等が知られている。例えば、染毛剤の場合、別々の容器に封入された染毛剤第１剤と染毛剤第２剤とをアプリケータ内やトレイ上で混合して染毛効果を発揮できるようにした後、毛髪へ塗布することが、一般的に行われている。しかし、混合作業に手間がかかる上、混合直後に毛髪に塗布しなければならないという制約がある。
【０００３】
この様な手間を省くため、例えば特開２０００−１０９１５０に記載のような二剤混合吐出容器が知られている。この二剤混合吐出容器は、図８に示すように、ステムが設けられた２つのエアゾール容器と、両エアゾール容器の連結具に対して着脱自在に係合する中空筒状のカバー１１０と、この中空筒状のカバー１１０内に順次に収納されたノズル１２０及び操作部１３０とを具備する。
【０００４】
そして、ノズル１２０は、両エアゾール容器のステムに係合し、ステムと共に上下可能にカバー１１０の内に収納される。正確にはカバー１１０の内壁に設けたノズル摺動片１１４で区画形成される空間内に収納される。ただし、下方に抜け落ちないように、中空筒状のカバー１１０の内側には、ノズル１２０の摺動範囲を限定する摺動限定帯体１１３が周設される。
【０００５】
他方、操作部１３０は、その両側に一対の第１突設片１３７を備えており、これが中空筒状のカバー１１０の両側内壁に設けた上下方向のスリット１１５内に嵌合することで、カバー１１０に固定される。また、操作部１３０には、ヒンジ部１３２を残して切り抜いた形で操作レバー１３６の基板部１３１が形成されている。この操作レバー１３６を押した際にヒンジ部が上下に変位しないよう、取り付けを強固にするため、操作部１３０には、その切欠部嵌合部１３５に第２突設片１３８が一対設けられており、これをカバー１１０側に設けた小孔１１６に嵌合させる。その上で、更に接着剤で操作部１３０全体をカバー１１０に固定している。
【０００６】
そして、この操作レバー１３６を指で押し下げると、その基板部１３１の裏面に形成されている半円状の２つの突起１３９がノズル１２０の上面を押し、それに伴って両エアゾール容器のステムが押し下げられ、両エアゾール容器から染毛剤第１剤及び染毛剤第２剤が、導入部１２３を経てノズル１２０内に入り、そのノズル基部１２１及びノーズ部１２２に形成された誘導路を介して同時に射出される。
【０００７】
このような構成の二剤混合吐出容器によれば、例えばブラシ上に両剤を混合しつつ同時に吐出させて、混合の手間を省いて、速やかに染毛作業を行うことができる。
【０００８】
【発明が解決しようとする課題】
しかしながら、従来の二剤混合吐出容器の構造では、着脱操作部１１７を操作してカバー１１０を取り外すことはできるものの、そのカバー１１０からノズル１２０を取り出すことはできない。すなわち、カバー１１０内のノズル１２０は、摺動限定帯体１１３により下方への移動が規制され、また上方に対しても、カバー１１０にしっかり固定された操作部１３０が存在していて、これにより上方移動を阻止されるため、ノズル１２０を外部に取り出すことができない。またノズル１２０自体も接着剤により中空状に一体化され分離不可能な構造となっている。このため、ノズル１２０自体を分離して内部に残留した混合液を洗浄することができない、という不便があった。
【０００９】
そこで、本発明者は、別途に、ノズルを取り出し分離して内部洗浄可能な二剤混合吐出容器を提案している。これは、一対のエアゾール容器を並置状態に拘束した連結具と、両容器のステムから放出される内容物を混合してノーズ部から同時に噴射する誘導路の形成されたノズルと、このノズルを上方から被って連結具に着脱自在に係合するカバーと、ノズルを上方から押下可能な操作レバーとを備えた二剤混合吐出容器において、ノズルをカバー内に形成した収納空間内に上下動可能且つ取り出し可能に収納すると共に、ノズルを上側ノズル片と下側ノズル片に二分割して内部を洗浄可能に構成し、操作レバーをノズルの設けらていないカバー上部の凹部内に別部材として装置した構成のものである。これによれば、カバー内からノズルを取り出すことが可能となり、またノズルを分離して内部を容易に洗浄することができる。
【００１０】
しかし、この二剤混合吐出容器の場合、ノズルを単独に取り出し可能な部材とし且つノズルを上側ノズル片と下側ノズル片という独立した部材に二分割して内部を洗浄可能に構成しているため、洗浄が必要な場合、カバー、上側ノズル片、下側ノズル片及び操作レバーの４部材に分かれてしまう。従って、各部品を無くさないように管理したり、各部品の組立の順序を理解し記憶しておかなければならない組み合わせ部分が増えるなど、分解及び再組立の操作性に難点があることが考えられる。
【００１１】
そこで、本発明の目的は、上記課題を解決し、ノズル内部を洗浄可能な構成としつつ、そのための分解及び再組立の操作性に優れた二剤混合吐出容器を提供することにある。
【００１２】
【課題を解決するための手段】
上記目的を達成するため、本発明の二剤混合吐出容器は、ステムが設けられた第１エアゾール容器及び第２エアゾール容器と、両容器を並置状態に拘束する連結具と、上側ノズル片及び下側ノズル片に二分割されたノズルと、上記連結具の外周囲に着脱自在に係合するカバーであって、ノズルを取り付ける凹所を上部に具備し、その凹所内の底板部にスリットによりステム押し板及びそのヒンジ部が形成され、このステム押し板をノズルの蓋体としてこれの上に上記下側ノズル片が担持されたカバーと、上記ノズルの上側ノズル片に連続する操作部を具備し、上記ヒンジ部を中心として揺動可能な操作レバーとを設け、操作レバーを押し下げることにより、ノズルと一体的にステム押し板が上記ヒンジ部を中心として揺動してステムを押圧し、両容器からステムを通して放出された内容物をノズル内に導き１つの吐出口から混合して同時に噴射可能とする一方、ノズルを上側ノズル片及び下側ノズル片に分離することにより内部を洗浄可能に構成したことを特徴とする。
【００１３】
本発明の二剤混合吐出容器によれば、ノズルは上側ノズル片及び下側ノズル片に二分割されるものの、その下側ノズル片はそのノズル蓋体としてのカバー側のステム押し板上に担持され、また上側ノズル片は操作レバー側に設けられる。従って、単に上側ノズル片と下側ノズル片の嵌めあいを解除することで全体を二分割することができ且つノズルを上下に分離して、内部に残った液剤を洗浄することができる。また、ノズルをカバーから分離可能な独立部材とし且つノズル自体を上側ノズル片と下側ノズル片に二分割可能とすることにより内部を洗浄可能に構成した場合に較べ、洗浄の分解・組立作業の際に分離されてしまう部品点数が少なくなり、カバー、上側ノズル片、下側ノズル片及び操作レバーの４部材から、カバー及び上側ノズル片の１部材と、下側ノズル片及び操作レバーの１部材の計２部材に減少する。従って、分解・組立作業の際に各部品を無くさないように管理したり、各部品の組立の順序を理解し記憶しておかなければならない組み合わせ部分が激減し、洗浄のための分解及び再組立作業の操作性が向上する。
【００１４】
【発明の実施の形態】
以下、本発明を図示の実施形態に基づいて説明する。図１は、二剤混合吐出容器１の全体的構造を示す分解斜視図、図２は組立後の全体的外観を示す斜視図である。この二剤混合吐出容器１は、ステム６、７が設けられた第１エアゾール容器２及び第２エアゾール容器３と、両容器を並置状態に拘束した連結具１０と、上側ノズル片２１及び下側ノズル片２２に二分割されたノズル２０と、上記連結具１０の外周囲に着脱自在に係合するカバー３０であって、ノズル２０を装置する凹所３６を上部に具備し、その凹所３６内の底板部３７にスリット３８によりステム押し板３９及びそのヒンジ部４３が形成され、このステム押し板３９をノズル２０の蓋体２６として兼用する形でステム押し板３９上に上記下側ノズル片２２が担持されたカバー３０と、上記ノズル２０の上側ノズル片２１と兼用の基板部４１と、この基板部４１に続く操作部４２とを具備し、上記ヒンジ部４３を中心として揺動可能な操作レバー４０とを設け、操作レバー４０を押し下げることにより、ノズル２０と一体的にステム押し板３９が上記ヒンジ部４３を中心として揺動してステム６、７を押圧し、両容器２、３からステムを通して放出された内容物をノズル２０内に導き１つのノーズ状の吐出口２４から混合して同時に噴射可能とする一方、ノズル２０を上側ノズル片２１及び下側ノズル片２２に分離することにより内部を洗浄可能に構成されている。
【００１５】
詳述するに、二剤混合吐出容器１は、図１に示すように、ステム６を有するマウンテインカップ４を上部に装着した第１エアゾール容器２（以下、単に「第１容器２」という。）と、ステム７を有するマウンテインカップ５を上部に装着した第２エアゾール容器３（以下、単に「第２容器３」という。）と、第１容器２と第２容器３の下部を連結する下部の連結具９と、マウンテインカップ４及び５に係合して第１容器２と第２容器３の上部を連結する上部の連結具１０と、上側ノズル片２１及び下側ノズル片２２に分離自在に二分割されたノズル２０と、上部凹所３６内の底板部３７にスリット３８により形成したステム押し板３９をノズルの蓋体２６として兼用する形で、ステム押し板３９上に上記ノズル２０の下側ノズル片２２を担持し、連結具１０の外周囲に係合するカバー３０と、ノズル２０の上側ノズル片２１と兼用の基板部４１及びこの基板部４１に続く操作部４２を具備し、上記ヒンジ部４３を中心として揺動可能で、上方よりノズル２０と一体的にステム押し板３９を押圧してエアゾール容器２、３の内容物をノズル２０から外部に吐出させる操作レバー４０とを備えている。
【００１６】
上部の連結具１０は、第１容器２と第２容器３のマウンテインカップ４及び５を被って弾性的に嵌合するキャップ状の部材から成り、その内部には、外周面１１から連続する形で２つの円環部１２（図５参照）が形成されていて、マウンテインカップ４及び５を個別に被うようになっている。
【００１７】
この各円環部１２の中央において、キャップ状連結具１０の上面には、第１容器２と第２容器３のステム６、７を通過させる小孔１３、１３が形成されている。また、この円環部１２の内周面下端には、マウンテインカップ４及び５のくびれ部と係合する係合突起１４が形成されている。
【００１８】
一方、キャップ状連結具１０の外周面下端には、係合突起１５が形成されており、これにカバー３０の内周面下端の係合突起３２（図５）が着脱自在に係合するようになっている。また、キャップ状連結具１０の上面には、これからカバー３０を外す際に用いる傾斜面１６ａを具備する傾斜突起１６が、連結具上面の長手方向の２箇所に設けられている。
【００１９】
ノズル２０は、上側ノズル片２１と下側ノズル片２２とに二分割されている。上側ノズル片２１は、下面が開放状態の略箱状のノズル基部２３と、該ノズル基部２３の上面中央に突設され且つＴ字状に延出されたノーズ部（ノーズ状の吐出口）２４とを具備する。ノズル基部２３の内部には、図３に破線で示すように、双葉状の輪郭に沿って誘導路形成部材２５ａ，２５ｂが設けられ、これによって２つの誘導路Ａ、Ｂが区画形成されている。また誘導路形成部材２５ｃがノーズ部２４の内部中央を延在しており、内部を上記誘導路Ａ、Ｂに続く左右２つの空間、つまり誘導路ａ、ｂに区画している。
【００２０】
一方、下側ノズル片２２は、上記略箱状のノズル基部２３を下方から蓋する蓋体２６と、該蓋体上に設けられた起立壁２７であって、上記略箱状のノズル基部２３の内部に内周壁に沿って入り込む起立壁２７とを備え、全体としては上面が開放された略箱状の蓋体として構成されている。蓋体２６上の起立壁２７で囲まれた領域内には、Ｏ字状又は横Ｃ字状に受け枠部材２８が設けられ、この受け枠部材２８内に上記誘導路形成部材２５ａ、２５ｂが収納される関係になっている。この受け枠部材２８内に収納された誘導路形成部材２５ａ、２５ｂの形成する誘導路Ａ、Ｂと連通するように、蓋体２６には、上記エアゾール容器２、３のステム６及び７に脱着可能な導入部２９ａ及び２９ｂが形成されている。ただし、蓋体２６は凹所３６の底板部３７のステム押し板３９と兼用であり、従ってこのステム押し板３９を中心に考察すれば、上記導入部２９ａ及び２９ｂはこのステム押し板３９の裏面に形成されることになる。
【００２１】
カバー３０は、連結具１０を被いその外周面の係合突起１５を乗り越えて係合する係合突起３２を有する胴部３１を備えており、該胴部３１の左右には、押圧により弾性的に変形可能な着脱操作部３３が切り込みにより形成されている。
【００２２】
また、カバー３０は、その上部にノズル２０及び操作レバー４０を収納し装置するための凹所３６を具備する。この凹所３６内の底板部３７には、スリット３８によりステム押し板３９及びそのヒンジ部４３が形成されている。
【００２３】
このステム押し板３９上に上記の下側ノズル片２２が担持されている。すなわち、下側ノズル片２２の蓋体２６は、この凹所３６の底板部３７のステム押し板３９と兼用である。このステム押し板３９の裏面に、上記導入部２９ａ及び２９ｂが形成される。そして、この下側ノズル片２２に上側ノズル片２１が弾性的に緩く嵌合され、ノズル２０として一体化される。
【００２４】
操作レバー４０はノズル２０の構成部材（上側ノズル片２１、下側ノズル片２２、ステム押し板３９及びヒンジ部４３）と兼用である。すなわち、長方形の平板状の基板部４１（上側ノズル片２１のノズル基部２３、下側ノズル片２２の蓋体２６）（図５参照）と、それからＴ字状に後方に延在する操作部４２と、上記基板部４１の前側縁つまりステム押し板３９の前側縁に形成した一対のヒンジ部４３とを具備する。このようにヒンジ部４３は、ステム押し板３９用及び操作レバー４０用として共通である。従って、操作レバー４０は、上記ヒンジ部４３を中心として上下方向に揺動可能に設けられ、ノズル２０もこれと一体的にヒンジ部４３を中心として上下方向に揺動するようになっている。
【００２５】
上述のカバー３０の上面に形成された凹所３６は、この操作レバー４０の長方形状の基板部４１を収納する形状を有し、その前部はノーズ部２４を突出可能に開放され、後部は操作レバー４０の操作部４２を後方に非拘束的に延在させる切欠部３６ａが形成されている。
【００２６】
以上のように構成された連結具１０、ノズル２０、カバー３０及び操作レバー４０は、次のように組み合わされ吐出ヘッドとして動作する。
図３は組み立てた二剤混合吐出容器１の吐出ヘッドの上面図、図４は組み立てた二剤混合吐出容器１の吐出ヘッドの短辺方向の縦断面図、図５は組み立てた二剤混合吐出容器１の吐出ヘッドの長辺方向の縦断面図である。
【００２７】
図４及び図５に示すように、まず第１容器２及び第２容器３の上部にマウンテインカップ４、５を被って連結具１０がはめ込まれ、また図２に示すように下部に連結具９が設けられて、第１容器２と第２容器３が連結される。次に、カバー３０の凹所３６内の下側ノズル片２２に対して、上方から上側ノズル片２１が挿入され、一体化されて、ノズル２０が組み立てられる。
【００２８】
詳述するに、ノズル２０の構成要素である上側ノズル片２１と下側ノズル片２２が相互に上下方向から緩く弾性的に嵌合され、上側ノズル片２１が下側ノズル片２２で蓋される。このとき下側ノズル片２２の受け枠部材２８内に、上側ノズル片２１の誘導路形成部材２５ａ、２５ｂの双葉状閉ループ又は開ループが弾性的に入り込んで保持される。この誘導路形成部材２５ａ、２５ｂにより、ノズル２０内部に誘導路Ａ、Ｂが形成される。このように上側ノズル片２１と下側ノズル片２２を弾性的に嵌合させる理由は、特別の用具を用いることなく相互に上下方向に分離可能とし、ノズル２０内を洗浄できるようにするためである。
【００２９】
上記のように上側ノズル片２１と下側ノズル片２２を一体化し、ノズル２０として組み立てると、操作レバー４０が取り付けられたこととなり、その操作部４２が凹所３６の切欠部３６ａにて後方に延在し、また前側にノズル２０のノーズ部２４が突出した状態となる。そして、操作レバー４０の基板部４１としての部分が、ノズル基部２３及び蓋体２６の部分により構築され、さらにその蓋体２６に一体のステム押し板３９がヒンジ部４３を中心として揺動可能となる。このため、操作部４２を押圧操作すると、これらのヒンジ部４３、ステム押し板３９、ノズル２０及び操作部４２の各要素から成る操作レバー４０がヒンジ部４３を中心として上下に揺動し、ステム押し板３９を、ヒンジ部４３を中心として上下に揺動操作することが可能となる。
【００３０】
上記の如く組立を終了したカバー３０は、連結具１０周囲に取り付けられる。この取り付けにおいては、カバー３０の胴部３１の係合突起３２が連結具１０周囲の係合突起１５を乗り越えて係合し、図４、図５の如く安定した取り付け状態となる。上記ノズル２０はステム６、７に載置され、ステム６によりノズル２０が持ち上げられ、またその下側ノズル片２２に形成された誘導路Ａ、Ｂへの導入部２９ａ、２９ｂがステム６、７に嵌合された状態となる。これにより、第１容器２及び第２容器３から導入部２９ａ、２９ｂを通って誘導路Ａ、Ｂに入り、更にここからノーズ部２４内の誘導路ａ、ｂを抜けて外部に至る吐出流路が形成される。
【００３１】
今、この操作部４２を押し下げると、図６に示すように、操作レバー４０がヒンジ部４３を支点に下方に揺動し、これと一体のノズル２０及びステム押し板３９も下方に揺動する。ステム押し板３９の下面に設けられている導入部２９ａ、２９ｂがステム６、７の上面を押し下げる。このとき、ステム押し板３９はヒンジ部４３を中心に後方に沈み込むので、その下面に設けられている導入部２９ａ、２９ｂはステム６、７を多少斜めに押し下げことになるが、実用上支障はない。なお、４４は操作レバー４０の回動範囲を制限するストッパーである。
【００３２】
第１容器２及び第２容器３に夫々収容されている２種類の内容物、ここでは２種類の染毛剤が、ステム６、７から導入部２９ａ、２９ｂを通って誘導路Ａ、Ｂに導入され、更にここからノーズ部２４内の誘導路ａ、ｂを抜け、そのノーズ部２４先端の誘導路形成部材２５ｃの無くなった部分にて混合されて、同時に外部に吐出される。
必要量を吐出させた後、手を操作部４２から離すと、ステムの押上力で操作レバー４０が図４、図５の状態に復帰する。
【００３３】
次にノズル２０の内部を洗浄する場合の操作について説明する。まず、図７に示すように、カバー３０の着脱操作部３３を両側から内側方向に押して、カバー３０を連結具１０から取り外す。すなわち、カバー３０の着脱操作部３３を矢印方向に押すと、その下端が、連結具１０上に設けてある傾斜突起１６の傾斜面１６ａ上に乗り、傾斜面１６ａに沿って上方に案内される。このため、カバー３０全体に上方に引き上げられる力が付与され、カバー下端の係合突起３２が係合突起１５を下方から上方に乗り越えて、カバー３０が連結具１０から取り外された状態となる。
【００３４】
次に、下側ノズル片２２を上側ノズル片２１から抜き出し、両者を分離する。下側ノズル片２２は緩く上側ノズル片２１内に差し込まれ、誘導路形成部材２５ａ、２５ｂの弾性変形による復帰力で留められているだけであるので、特別の用具を用いることなく容易に分離することができる。従って、ノズル２０は上側ノズル片２１と下側ノズル片２２に分離した状態で容易に洗浄することができる。洗浄後、ノズル２０は下側ノズル片２２及び上側ノズル片２１が緩く嵌合されて一体化され、これにより再びカバー３０の凹所３６内にセットされる。そして、このように組み立てられたカバー３０を再び連結具１０に取り付けることで、二剤混合吐出容器として使用可能な状態に戻る。
【００３５】
上記の洗浄のための分解組立作業において、操作レバー４０と上側ノズル片２１は一体であり、またステム押し板３９及び下側ノズル片２２もカバー３０と一体であって、吐出ヘッドの構成部品のうち分離状態となるのはこの２点のみであるので、洗浄のための分解・再組立作業が非常に容易である。すなわち、吐出ヘッドが３点以上の部品に分解される場合に較べ、分解・再組立作業の手順を理解し記憶することに困難性がなく、また分解した部品を無くさないように注意を払う必要性が殆ど生じない。
【００３６】
【発明の効果】
以上説明したように、本発明の二剤混合吐出容器によれば、ノズルは上側ノズル片及び下側ノズル片に二分割され、その下側ノズル片はそのノズル蓋体として兼用する形でカバー側のステム押し板上に一体に担持され、また上側ノズル片は操作レバーの基板部と兼用する形で操作レバー側に一体に設けられる。従って、単に上側ノズル片と下側ノズル片の嵌めあいを解除するだけで、同時に吐出ヘッドの分解ができ、ノズルを上下に分離して内部に残った液剤を洗浄することができる。また、係る構造は、ノズルをカバーから分離可能とし且つノズル自体を上側ノズル片と下側ノズル片に二分割可能として内部を洗浄可能にした構造に較べ、洗浄を行うべく分解・組立する作業の際に分離されてしまう部品点数を少なくすることができ、吐出ヘッドの構成部品は、カバー、上側ノズル片、下側ノズル片及び操作レバーの４部材から、カバー及び上側ノズル片の１部材と、下側ノズル片及び操作レバーの１部材の計２部材に減少する。従って、各部品を無くさないように管理したり、各部品の組立の順序を理解し記憶しておかなければならない組み合わせ部分が激減し、洗浄のための分解及び再組立の操作性が向上する。
【図面の簡単な説明】
【図１】本発明の二剤混合吐出容器の分解斜視図である。
【図２】本発明の二剤混合吐出容器の外観を示す斜視図である。
【図３】本発明の二剤混合吐出容器の吐出ヘッドの上面図である。
【図４】本発明の二剤混合吐出容器の吐出ヘッドの短辺方向の縦断面図である。
【図５】本発明の二剤混合吐出容器の吐出ヘッドの長辺方向の縦断面図である。
【図６】本発明の二剤混合吐出容器の吐出ヘッドの操作レバーを押圧した場合の動作説明に供する図４と同様の縦断面図である。
【図７】本発明の二剤混合吐出容器の吐出ヘッドを取り外す際の動作説明に供する図５と同様の縦断面図である。
【図８】従来の二剤混合吐出容器の吐出ヘッドの分解斜視図である。
【符号の説明】
１  二剤混合吐出容器
２  第１エアゾール容器（第１容器）
３  第２エアゾール容器（第２容器）
６  ステム
７  ステム
１０  連結具
２０  ノズル
２１  上側ノズル片
２２  下側ノズル片
２３  ノズル基部
２４  ノーズ部（ノーズ状の吐出口）
２５ａ、２５ｂ、２５ｃ  誘導路形成部材
２６  蓋体                        ２７  起立壁
２８  受け枠部材                  ２９ａ、２９ｂ  導入部
３０  カバー                      ３１  胴部
３２  係合突起                    ３３  着脱操作部
３６  凹所                        ３７  底板部
３８  スリット                    ３９  ステム押し板
４０  操作レバー                  ４１  基板部
４２  操作部                      ４３  ヒンジ部
Ａ、Ｂ  誘導路                    ａ、ｂ  誘導路
【図１】
0004707276.tif 000002
【図２】
0004707276.tif 000003
【図３】
0004707276.tif 000004
【図４】
0004707276.tif 000005
【図５】
0004707276.tif 000006
【図６】
0004707276.tif 000007
【図７】
0004707276.tif 000008
【図８】
0004707276.tif 000009